(57)【要約】  複数の部分光を含む照明装置の輝度分布と、表示パネルの表示画像の輝度分布との一致性とを向上させた表示装置を提供するために、液晶表示装置６９におけるフィルタ加工部１６は、部分光ＰＬに対応する輝度調整データＶＤ−Ｓｄ［Ａ］毎に対して、複数の輝度拡散フィルタＦＴのうちの１つで加工を行うことで、輝度分布データＶＤ−Ｓｄ［ＡＦ］を生成する構成とした。さらに、パネル制御データ補正部１７は、輝度分布データＶＤ−Ｓｄ［ＡＦ］と、パネル制御データＶＤ−Ｓｐとから、液晶表示パネル５９の表示画像を制御する補正パネル制御データＶＤ−Ｓｐ［ｄ］を生成する構成とした。
2011030587.tif 000002
【特許請求の範囲】
【請求項１】
複数の光源からの光源光を混ぜることで、出射光を生成する照明装置と、
上記出射光を受ける表示パネルと、
上記照明装置および表示パネルを制御する制御ユニットと、
を含む表示装置にあって、
上記制御ユニットは、
映像データを取得し、その映像データから光源制御データとパ
ネル制御データとを生成する映像データ処理部と、
上記光源制御データを、上記出射光に含まれる部分的な光であ
る部分光毎に応じて加工することで、上記光源の輝度を制御する
輝度調整データを生成する光量調整データ生成部と、
上記光源を原因にして、複数の上記部分光の輝度分布が多種類
になり、それら上記部分光に対応する上記輝度調整データ毎に対
して、複数の輝度拡散フィルタのうちの１つで加工を行うことで
、上記出射光の輝度分布データを生成するフィルタ加工部と、
上記輝度分布データと、上記パネル制御データとから、上記表
示パネルの表示画像を制御する補正パネル制御データを生成する
パネル制御データ補正部と、
を含む表示装置。
【請求項２】
上記光源を原因にして、複数の上記部分光の輝度分布が多種類になるとは、
固有輝度分布を異にする上記光源が複数種類含まれることで、複数の上記部分光の輝度分布が多種類になることである請求項１に記載の表示装置。
【請求項３】
上記光源がパワー発光素子か否かの違いで、上記固有輝度分布が異なる請求項２に記載の表示装置。
【請求項４】
上記光源が、内蔵される単色発光の複数の発光チップからの光を混ぜた白色光を発する、または、内蔵される発光チップからの光と、上記発光チップからの光を受けて蛍光発光する蛍光発光体からの光とを混ぜた白色光を発する、かの違いで、上記固有輝度分布が異なる請求項２または３に記載の表示装置。
【請求項５】
上記光源を原因にして、複数の上記部分光の輝度分布が多種類になるとは、
複数の上記光源における上記光源の密集度合いに差が有ることで、複数の上記部分光の輝度分布が多種類になることである請求項１〜４のいずれか１項に記載の表示装置。
【請求項６】
上記光源を原因にして、複数の上記部分光の輝度分布が多種類になるとは、
単色光を発する複数の上記光源が、上記光源光を混ぜることで、白色光の上記部分光を生成しており、上記部分光を生成する上記光源の配置が多種類であることで、複数の上記部分光の輝度分布が多種類になることである請求項１〜５のいずれか１項に記載の表示装置。
【請求項７】
上記光源を原因にして、複数の上記部分光の輝度分布が多種類になるとは、
複数の上記光源にて、上記光源光の出射方向を異にする上記光源が含まれることで、複数の上記部分光の輝度分布が多種類になることである請求項１〜６のいずれか１項に記載の表示装置。
【請求項８】
上記光源光の輝度を測定する輝度測定部が含まれ、
（１）上記光源光を発する上記光源の故障、
（２）上記光源光を遮蔽する上記光源への付着物、
（３）発光にともなった上記光源の温度上昇、
の少なくとも１つで、上記部分光の輝度分布に変化が生じた場合、
上記パネル制御データ補正部は、上記輝度測定部の測定結果に応じて、上記補正フィルタを選択する請求項１〜７のいずれか１項に記載の表示装置。
【請求項９】
複数の光源からの光源光を混ぜることで、出射光を生成する照明装置と、
上記出射光を受ける表示パネルと、
上記照明装置および表示パネルを制御する制御ユニットと、
を含む表示装置にあって、
上記制御ユニットは、
映像データを取得し、その映像データから光源制御データとパ
ネル制御データとを生成する映像データ処理部と、
上記光源制御データを、上記出射光に含まれる部分的な光であ
る部分光毎に応じて加工することで、上記光源の輝度を制御する
輝度調整データを生成する光量調整データ生成部と、
上記部分光を生成する複数の上記光源毎に対応する上記輝度調
整データに対して、異なる輝度拡散フィルタで加工を行うことで
、上記出射光の輝度分布データを生成するフィルタ加工部と、
上記輝度分布データと、上記パネル制御データとから、上記表
示パネルの表示画像を制御する補正パネル制御データを生成する
パネル制御データ補正部と、
を含む表示装置。
【請求項１０】
上記部分光を生成する複数の上記光源は、赤色発光の光源と、緑色発光の光源と、青色発光の光源と、である請求項９に記載の表示装置。
【請求項１１】
上記光源光の輝度を測定する輝度測定部が含まれ、
（１）上記光源光を発する上記光源の故障、
（２）上記光源光を遮蔽する上記光源への付着物、
（３）発光にともなった上記光源の温度上昇、
の少なくとも１つで、上記部分光の輝度分布に変化が生じた場合、
上記パネル制御データ補正部は、上記輝度測定部の測定結果に応じて、上記補正フィルタを選択する請求項９または１０に記載の表示装置。
【発明の詳細な説明】
【技術分野】
【０００１】
本発明は、例えば液晶表示装置のような表示装置に関する。
【背景技術】
【０００２】
非発光型の液晶表示パネル（表示パネル）を搭載する液晶表示装置（表示装置）では、通常、その液晶表示パネルに対して、光を供給するバックライトユニット（照明装置）も搭載される。このような表示装置にあって、バックライトユニットからの出射光（バックライト光）の輝度は、液晶表示パネルの表示画像に対応して変化すると望ましい。【０００３】
例えば、表示画像が黒画像のような場合に、その黒画像を示す表示パネルの一部分（表示領域）に供給されるバックライト光の輝度が高いと、バックライトユニットの駆動電力に無駄が生じることになり、さらには、黒画像の品位まで低下するためである。【０００４】
そこで、昨今では、バックライト光の輝度を、部分的に制御可能なローカルディミング機能を有するバックライトユニットが開発されている（例えば、特許文献１）。このようなバックライトユニットであれば、例えば黒画像を示す表示パネルの一部分に供給されるバックライト光の一部の光（部分光）の輝度だけを、他の別部分の光の輝度に比べて抑えられる。そのため、このようなバックライトユニットを搭載する液晶表示装置は、消費電力を抑えつつも、高品位な表示画像を提供できる。
【先行技術文献】
【特許文献】
【０００５】
【特許文献１】特開２００７−３４２５１号公報
【発明の概要】
【発明が解決しようとする課題】
【０００６】
しかしながら、バックライトユニット光に含まれる部分光の数は、通常、液晶表示パネルの画素数に比べて少ない。そのため、１つの部分光は複数の画像を含む表示領域を照射することになる。すると、複数の部分光を含むバックライトの輝度分布と、液晶表示パネルの表示画像の輝度分布との一致性が、高品位な表示画像を提供する要件となる。【０００７】
本発明は、上記の問題点を解決するためになされたものである。そして、その目的は、複数の部分光を含むバックライト光の輝度分布と、表示パネルの表示画像の輝度分布との一致性とを向上させることで、高品位な表示画像を映し出す表示装置を提供することにある。
【課題を解決するための手段】
【０００８】
表示装置は、複数の光源からの光源光を混ぜることで、出射光を生成する照明装置と、出射光を受ける表示パネルと、照明装置および表示パネルを制御する制御ユニットと、を含む。そして、この表示装置では、制御ユニットは、映像データ処理部、輝度調整データ生成部、フィルタ加工部、および、パネル制御データ補正部を含む。【０００９】
映像データ処理部は、映像データを取得し、その映像データから光源制御データとパネル制御データとを生成する。輝度調整データ生成部は、光源制御データを照明装置の出射光に含まれる部分的な光である部分光毎に応じて加工することで、光源の輝度を制御する輝度調整データを生成する。【００１０】
フィルタ加工部は、光源を原因にして、複数の部分光の輝度分布が多種類になり、それら部分光に対応する輝度調整データ毎に対して、複数の輝度拡散フィルタのうちの１つで加工を行うことで、出射光の輝度分布データを生成する。パネル制御データ補正部は、輝度分布データと、パネル制御データとから、表示パネルの表示画像を制御する補正パネル制御データを生成する。【００１１】
このような表示装置であれば、フィルタ加工部は、部分光にあわせて、複数の輝度拡散フィルタのうちの最も適した輝度拡散フィルタで、照明装置の出射光の輝度分布データを生成する。そのため、この輝度分布データは、部分光毎の干渉等を反映させた正確なデータになる。さらに、補正パネル制御データは、輝度調整データを複数の輝度拡散フィルタで加工した正確な輝度分布データと、パネル制御データとから求められる。そのため、この補正パネル制御データは、輝度調整データを正確に反映する。【００１２】
したがって、光源の輝度に関する輝度調整データと、表示パネルの表示画像に関するデータ（補正パネル制御データ）との一致性が、表示装置の表示画像の品位に影響を与える場合に、その一致性の精度が向上する。すると、液晶表示装置の表示画像の品位が確実に向上する。【００１３】
なお、光源を原因にして、複数の部分光の輝度分布が多種類になる一例としては、固有輝度分布を異にする光源が複数種類含まれることで、複数の部分光の輝度分布が多種類になることが挙げられる。【００１４】
なお、固有輝度分布の違いの一例としては、光源がパワー発光素子か否かの違いが挙げられる。また、別例としては、光源が、内蔵される単色発光の複数の発光チップからの光を混ぜた白色光を発する、または、内蔵される発光チップからの光と、発光チップからの光を受けて蛍光発光する蛍光発光体からの光とを混ぜた白色光を発する、かの違いが挙げられる。【００１５】
また、光源を原因にして、複数の部分光の輝度分布が多種類になる一例としては、複数の光源における光源の密集度合いに差が有ることで、複数の部分光の輝度分布が多種類になることが挙げられる。【００１６】
また、光源を原因にして、複数の部分光の輝度分布が多種類になる一例としては、単色光を発する複数の光源が、光源光を混ぜることで、白色光の部分光を生成しており、その部分光を生成する光源の配置が多種類であることで、複数の部分光の輝度分布が多種類になることが挙げられる。【００１７】
また、光源を原因にして、複数の部分光の輝度分布が多種類になる一例としては、複数の光源にて、光源光の出射方向を異にする光源が含まれることで、複数の部分光の輝度分布が多種類になることが挙げられる。【００１８】
なお、表示装置にて、光源光の輝度を測定する輝度測定部が含まれているならば、（１）光源光を発する光源の故障、（２）光源光を遮蔽する光源への付着物、（３）発光にともなった光源の温度上昇、の少なくとも１つで、部分光の輝度分布に変化が生じた場合、パネル制御データ補正部が、輝度測定部の測定結果に応じて、補正フィルタを選択すると望ましい。【００１９】
このようになっていると、連続的に駆動する表示装置にあっても、光源の輝度に関する輝度調整データと、補正パネル制御データとの一致性が向上し、液晶表示装置の表示画像の品位が確実に向上する。【００２０】
なお、制御ユニットでは、フィルタ加工部が、部分光を生成する複数の光源毎に対応する輝度調整データに対して、異なる輝度拡散フィルタで加工を行うことで、照明装置の出射光の輝度分布データを生成し、その輝度分布データと、パネル制御データとから、表示パネルの表示画像を制御する補正パネル制御データが、パネル制御データ補正部で生成されてもよい。【００２１】
このようになっていると、部分光単体の輝度分布データが正確になり、ひいては、出射光の輝度分布データが正確になる。そのため、出射光の輝度分布データと補正パネル制御データとの一致性が向上し、液晶表示装置の表示画像の品位が確実に向上する。【００２２】
なお、部分光を生成する複数の光源は、赤色発光の光源、緑色発光の光源、青色発光の光源、のように多色の光源が複数配置されていてもよいし、白色のような同色の光源が複数配置されていてもかまわない。【００２３】
また、このような部分光を生成する複数の光源毎に対応する輝度調整データに対して、異なる輝度拡散フィルタで加工を行うことで、輝度分布データを生成するフィルタ加工部を含む表示装置であっても、光源光の輝度を測定する輝度測定部が含まれているならば、以下のようになっていると望ましい。【００２４】
すなわち、上述したように、（１）光源光を発する光源の故障、（２）光源光を遮蔽する光源への付着物、（３）発光にともなった光源の温度上昇、の少なくとも１つで、部分光の輝度分布に変化が生じた場合、パネル制御データ補正部が、輝度測定部の測定結果に応じて、補正フィルタを選択すると望ましい。【００２５】
このようになっていると、上述同様に、連続的に駆動する表示装置にあっても、光源の輝度に関する輝度調整データと、補正パネル制御データとの一致性が向上し、液晶表示装置の表示画像の品位が確実に向上するからである。
【発明の効果】
【００２６】
本発明によると、照明装置からの出射光の輝度分布に応じて、表示パネルの表示画像が制御される（要は、複数の部分光を含む出射光の輝度分布と、表示パネルの表示画像の輝度分布との一致性とが向上する）。そのため、液晶表示装置の表示画像の品位が確実に向上する。
【図面の簡単な説明】
【００２７】
【図１】は、図２に示される画像制御部に含まれる種々部材を示すブロック図である。
【図２】は、液晶表示装置に含まれる種々部材を示すブロック図である。
【図３】は、光源制御データ、バックライト光、ＬＥＤ、および、ＬＥＤへの輝度調整データの関係を示す説明図である。
【図４】は、（Ａ）（Ｂ）（Ｃ）ともに、具体的なフィルタ値の数値例を明記した輝度拡散フィルタを示す説明図である。
【図５】は、（Ａ）は輝度分布データの規格である９×７のマトリックス型のデータ規格（データマップ）を示した説明図であり、（Ｂ）は（Ａ）に示されるデータマップにて、複数の輝度調整データの位置を明記した説明図である。
【図６】は、（Ａ）は、図５Ａに示されるデータマップの左上付近に、１つの輝度調整データの位置が設定された状態を示す説明図であり、（Ｂ）は（Ａ）に示される輝度調整データを加工する輝度拡散フィルタを示す説明図であり、（Ｃ）は（Ｂ）に示される輝度拡散フィルタで加工後のデータを示す説明図である。
【図７】は、（Ａ）は、図５Ａに示されるデータマップの右上付近に、１つの輝度調整データの位置が設定された状態を示す説明図であり、（Ｂ）は（Ａ）に示される輝度調整データを加工する輝度拡散フィルタを示す説明図であり、（Ｃ）は（Ｂ）に示される輝度拡散フィルタで加工後のデータを示す説明図である。
【図８】は、（Ａ）は、図５Ａに示されるデータマップの左下付近に、１つの輝度調整データの位置が設定された状態を示す説明図であり、（Ｂ）は（Ａ）に示される輝度調整データを加工する輝度拡散フィルタを示す説明図であり、（Ｃ）は（Ｂ）に示される輝度拡散フィルタで加工後のデータを示す説明図である。
【図９】は、（Ａ）は、図５Ａに示されるデータマップの右下付近に、１つの輝度調整データの位置が設定された状態を示す説明図であり、（Ｂ）は（Ａ）に示される輝度調整データを加工する輝度拡散フィルタを示す説明図であり、（Ｃ）は（Ｂ）に示される輝度拡散フィルタで加工後のデータを示す説明図である。
【図１０】は、図６Ｃ、図７Ｃ、図８Ｃ、図９Ｃに示される加工後のデータから求められた輝度分布データを示す説明図である。
【図１１】は、実施例１に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）は（Ｂ）および（Ｃ）に示される輝度拡散フィルタから輝度分布データが生成されることを示す説明図である。
【図１２】は、実施例２に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）は（Ｂ）および（Ｃ）に示される輝度拡散フィルタから輝度分布データが生成されることを示す説明図である。
【図１３】は、実施例３に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）は（Ｂ）および（Ｃ）に示される輝度拡散フィルタから輝度分布データが生成されることを示す説明図である。
【図１４】は、実施例４に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）は（Ｂ）および（Ｃ）に示される輝度拡散フィルタから輝度分布データが生成されることを示す説明図である。
【図１５】は、実施例５に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）はさらに別の１つの部分光と、その部分光を生成するＬＥＤへの輝度調整データに対する輝度拡散フィルタとを示す説明図であり、（Ｅ）は（Ｂ）、（Ｃ）、および（Ｄ）に示される輝度拡散フィルタから輝度分布データが生成されることを示す説明図である。
【図１６】は、液晶表示装置に含まれるバックライトユニットの分解斜視図である。
【図１７】は、実施例６に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）は（Ｂ）および（Ｃ）に示される輝度拡散フィルタから輝度分布データが生成されることを示す説明図である。
【図１８】は、（Ａ）（Ｂ）ともに、具体的なフィルタ値の数値例を明記した輝度拡散フィルタを示す説明図である。
【図１９】は、液晶表示装置に含まれるバックライトユニットの分解斜視図である。
【図２０】は、実施例７に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）は（Ｂ）および（Ｃ）に示される輝度拡散フィルタから輝度分布データが生成されることを示す説明図である。
【図２１】は、実施例８に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）はさらに別の１つの部分光と、その部分光を生成するＬＥＤへの輝度調整データに対する輝度拡散フィルタとを示す説明図であり、（Ｅ）は（Ｂ）、（Ｃ）、および（Ｄ）に示される輝度拡散フィルタから輝度分布データが生成されることを示す説明図である。
【図２２】は、実施例９に関連しており、（Ａ）はバックライト光とＬＥＤとを示す平面図であり、（Ｂ）はある１つの部分光と、その部分光を生成するＬＥＤへの輝度調整データに対する輝度拡散フィルタとを示す説明図であり、（Ｃ）は別の１つの部分光と、その部分光を生成するＬＥＤへの輝度調整データに対する輝度拡散フィルタとを示す説明図であり、（Ｄ）は（Ｂ）および（Ｃ）に示される輝度拡散フィルタから輝度分布データが生成されることを示す説明図である。
【図２３】は、具体的なフィルタ値の数値例を明記した輝度拡散フィルタを示す説明図である。
【図２４】は、液晶表示装置の分解斜視図である。
【発明を実施するための形態】
【００２８】
［実施の形態１］
実施の一形態について、図面に基づいて説明すれば、以下の通りである。なお、便宜上、部材符号等を省略する場合もあるが、かかる場合、他の図面を参照するものとする。また、便宜上、断面図ではないが、ハッチングを用いることもある。また、矢印に併記される黒丸は、紙面に対して垂直方向を意味する。また、信号の進行を示す矢印に信号種を示す符号が付されている場合があるが、矢印はその信号種のみの進行を意味するものではない。
【００２９】
図２４は、液晶表示装置６９を示す分解斜視図である。この図に示すように、液晶表示装置６９は、液晶表示パネル５９と、この液晶表示パネル５９に対して光を供給するバックライトユニット（照明装置）４９と、を含む。
【００３０】
液晶表示パネル５９は、不図示の液晶を挟み込むアクティブマトリックス基板５１と対向基板５２とを含む（なお、これら基板５１・５２は、枠状のベゼルＢＺに嵌め込まれる）。また、アクティブマトリックス基板５１には、図示されていないが、ゲート信号線とソース信号線とが互いに交差するように配置され、さらに、両信号線の交差点には、液晶に対する印加電圧調整に要するスイッチング素子（例えば、Thin  Film  Transistor）が配置される。
【００３１】
また、アクティブマトリックス基板５１の受光側、対向基板５２の出射側には、偏光フィルム５３が取り付けられる。そして、以上のような液晶表示パネル５９は、液晶分子の傾きに起因する光透過率の変化を利用して、画像を表示する。
【００３２】
次に、液晶表示パネル５９の直下に位置し、液晶表示パネル５９に対して光（バックライト光ＢＬ）を供給するバックライトユニット４９について説明する。バックライトユニット４９は、ＬＥＤモジュール（発光モジュール）ＭＪ、バックライトシャーシ４３、拡散板４４、プリズムシート４５、および、プリズムシート４６を含む。
【００３３】
ＬＥＤモジュールＭＪは、実装基板４２、およびＬＥＤ（Light  Emitting  Diode）４１を含む。
【００３４】
実装基板４２は、例えば矩形状の基板であり、実装面４２Ｕ上に、複数の電極（不図示）を並べる。そして、これらの電極上に、発光素子であるＬＥＤ４１が取り付けられる。電極は、１枚の実装基板４２の実装面４２Ｕにおいて、交差（直交等）する２方向毎に沿うように配置される（つまり、電極は格子配置となる）。
【００３５】
したがって電極上に、ＬＥＤ４１が取り付けられ、それらＬＥＤ４１が発光すると、複数のＬＥＤ４１からの光（光源光）が集まって、面状光が生成される。なお、電極（ひいては、ＬＥＤ４１）の配置において、交差する２方向のうち、電極の並列個数の多い列をＸ方向、少ない列をＹ方向とし、さらに、Ｘ方向とＹ方向とに交差する方向をＺ方向とする（なお、Ｘ方向は、液晶表示パネル５９の画面の長手に対応し、Ｙ方向は、液晶表示パネル５９の画面の短手に対応する）。
【００３６】
ＬＥＤ４１は、光源（発光素子、点状光源）であり、実装基板４２の電極を介した電流によって発光する。そして、ＬＥＤ４１の種類は多々あり、例えば、赤色発光の赤色ＬＥＤチップと、緑色発光の緑色ＬＥＤチップと、青色発光の青色ＬＥＤチップと、を含み、全てのＬＥＤチップからの光を混ぜることで白色光を生成するＬＥＤ４１が挙げられる。
【００３７】
バックライトシャーシ４３は、図２４に示すように、例えば箱状の部材で、底面４３ＢにＬＥＤモジュールＭＪを収容する。なお、バックライトシャーシ４３の底面４３ＢとＬＥＤモジュールＭＪの実装基板４２とは、例えばリベット（不図示）を介して接続される。
【００３８】
拡散板４４は、ＬＥＤ４１を敷き詰めた実装面４２Ｕに重なる板状の光学部材であり、ＬＥＤモジュールＭＪから発せられる光を受け、その光を拡散させる。すなわち、拡散板４４は、複数のＬＥＤモジュールＭＪによって形成される面状光を拡散させて、液晶表示パネル５９全域に光をいきわたらせる。
【００３９】
プリズムシート４５・４６は、例えば、シート面内にプリズム形状を有し、光の放射特性を偏向させる光学シートであり、拡散板４４を覆うように位置する。そのため、このプリズムシート４５・４６は、拡散板４４から進行してくる光を集光させ、輝度を向上させる。なお、プリズムシート４５とプリズムシート４６とによって集光される各光の発散方向は交差する関係にある。
【００４０】
そして、以上のようなバックライトユニット４９は、ＬＥＤモジュールＭＪによって形成される面状光ＢＬ（バックライト光ＢＬ）を、複数枚の光学部材４４〜４６に通過させ、液晶表示パネル５９へ供給する。これにより、非発光型の液晶表示パネル５９は、バックライトユニット４９からのバックライト光ＢＬを受光して表示機能を向上させる。
【００４１】
図２は、液晶表示装置６９に関する種々部材を示したブロック図である。この図に示すように、このような液晶表示装置６９では、コントロールユニット１１が含まれており、このコントロールユニット１１が、液晶表示装置６９（すなわち、液晶表示パネル５９とバックライトユニット４９と）を統括的に制御する。
【００４２】
詳説すると、コントロールユニット１１は、画像制御部１２、液晶表示パネルコントローラ（ＬＣＤコントローラ）２１、およびＬＥＤコントローラ２２を含む（なお、液晶表示装置６９に含まれるゲートドライバー３１、ソースドライバー３２、ＬＥＤドライバー３３、フォトセンサ３４、およびサーミスタ３５に関しても説明する）。
【００４３】
画像制御部１２は、外部の信号源からの初期の画像信号である画像データＦ−ＶＤを受信する。この画像データＦ−ＶＤは、例えばテレビ信号であり、映像データとその映像データに同期する同期データとが含まれる（なお、映像データは、例えば、赤色、緑色、および青色の輝度データを含む）。
【００４４】
そして、画像制御部１２は、この同期データから、液晶表示パネル５９の画像表示に要する新たな同期データ（クロックデータＣＬＫ、垂直同期データＶＳ、および水平同期データＨＳ等）を生成する。その後、画像制御部１２は、生成した新たな同期データを、ＬＣＤコントローラ２１およびＬＥＤコントローラ２２に送信する。
【００４５】
また、画像制御部１２は、映像データを、液晶表示パネル５９の駆動に適したセパレータデータＶＤ−Ｓｐ（パネル制御データＶＤ−Ｓｐ）と、バックライトユニット４９（詳説するとＬＥＤ４１）の駆動に適したセパレータデータＶＤ−Ｓｄ（光源制御データＶＤ−Ｓｄ）とに分離させる。
【００４６】
そして、画像制御部１２は、パネル制御データＶＤ−Ｓｐに対して、所定の補正を施すことで補正パネル制御データＶＤ−Ｓｐ［ｄ］にして、ＬＣＤコントローラ２１に送信する。
【００４７】
また、画像制御部１２は、光源制御データＶＤ−Ｓｄを、ＬＥＤ４１によって生成される面状光ＢＬに含まれる部分的な光（部分光ＰＬ）に応じて、所定の加工を施すことで輝度調整データＶＤ−Ｓｄ［Ａ］にして、ＬＥＤコントローラ２２に送信する。なお、画像制御部１２についての詳細は後述する。
【００４８】
ＬＣＤコントローラ２１は、画像制御部１２から送信されてくるクロックデータＣＬＫ、垂直同期データＶＳ、水平同期データＨＳ等から、ゲートドライバー３１およびソースドライバー３２を制御するタイミングデータを生成する（なお、ゲートドライバー３１に対応するタイミングデータをタイミングデータＧ−ＴＳ、ソースドライバー３２に対応するタイミングデータをタイミングデータＳ−ＴＳとする）。
【００４９】
そして、ＬＣＤコントローラ２１は、タイミングデータＧ−ＴＳをゲートドライバー３１に送信する。一方で、ＬＣＤコントローラ２１は、タイミングデータＳ−ＴＳと補正パネル制御データＶＤ−Ｓｐ［ｄ］とをソースドライバー３２に送信する。
【００５０】
すると、ソースドライバー３２とゲートドライバー３１とは、両タイミングデータＧ−ＴＳ・Ｓ−ＴＳと補正パネル制御データＶＤ−Ｓｐ［ｄ］とを用いて、液晶表示パネル５９の画像を制御する（詳説すると、液晶表示パネル５９における画素の光透過率を制御する）。
【００５１】
ＬＥＤコントローラ２２は、ＬＥＤドライバー制御部２３とパルス幅変調部２４とを含む。
【００５２】
ＬＥＤドライバー制御部２３は、画像制御部１２からの輝度調整データＶＤ−Ｓｄ［Ａ］をパルス幅変調部２４に送信する。また、ＬＥＤドライバー制御部２３は、同期データ（クロックデータＣＬＫ、垂直同期データＶＳ、水平同期データＨＳ等）からＬＥＤ４１の点灯タイミングデータＬ−ＴＳを生成して、ＬＥＤドライバー３３に送信する。
【００５３】
パルス幅変調部２４は、受信した輝度調整データＶＤ−Ｓｄ［Ａ］に基づいて、パルス幅変調（Pulse  Width  Modulation；ＰＷＭ）方式で、ＬＥＤ４１の発光時間を調整する（なお、このようなパルス幅変調に使用される信号値をＰＷＭ信号と称する）。詳説すると、パルス幅変調部２４は、ＬＥＤ４１の発光制御に適したＰＷＭ信号を、ＬＥＤドライバー３３に送信する。
【００５４】
すると、ＬＥＤドライバー３３は、ＬＥＤコントローラ２２からの信号（ＰＷＭ信号、タイミングデータＬ−ＴＳ）に基づいて、ＬＥＤ４１を点灯制御する。（なお、ＬＥＤ４１の発光を制御するコントロールユニット１１は、全てのＬＥＤ４１を一括で制御することもできるが、それだけに限らず、ＬＥＤ４１毎に発光制御できる、いわゆるローカルディミング機能を有する）。
【００５５】
なお、フォトセンサ（輝度測定部）３４は、ＬＥＤ４１の輝度を測定し、その測定結果を画像制御部１２に送信する。詳説すると、画像制御部１２による判断材料、例えば、ＬＥＤ４１の点灯状態の判断材料、または、ＬＥＤ４１の出射光を遮蔽する付着物がＬＥＤ４１に対し付着しているか否かの判断材料として、フォトセンサ３４は、ＬＥＤ４１の輝度（詳説すると、部分光ＰＬ）を測定し、その測定結果を画像制御部１２に送信する。なお、このフォトセンサ３４の個数は、単数であっても複数であってもかまわない（例えば部分光ＰＬの数に対応して、複数のフォトセンサ３４が配置されてもよい）。
【００５６】
また、サーミスタ（温度測定部）３５は、ＬＥＤ４１が発光にともなって熱を帯びた場合を考え、そのＬＥＤ４１の温度を測定し、測定結果を画像制御部１２に送信する。詳説すると、画像制御部１２による判断材料、例えばＬＥＤ４１における発光効率低下の判断材料として（要は、ＬＥＤ４１のジャンクション温度を検知するために）、サーミスタ３５はＬＥＤ４１の温度を測定し、その測定結果を画像制御部１２に送信する。なお、このサーミスタ３５の個数は、単数であっても複数であってもかまわない（例えば、部分光ＰＬの数に対応して、複数のサーミスタ３５が配置されてもよい）。
【００５７】
ここで、画像制御部１２について、図１のブロック図を用いて詳説する。画像制御部１２は、映像データ処理部１３、タイミング調整部１４、輝度調整データ生成部１５、フィルタ加工部１６、およびパネル制御データ補正部１７を含む。
【００５８】
映像データ処理部１３は、上述したように、受信した初期画像データＦ-ＤＶにおける映像データから、パネル制御データＶＤ−Ｓｐと、光源制御データＶＤ−Ｓｄとを生成する。そして、映像データ処理部１３は、パネル制御データＶＤ−Ｓｐをパネル制御データ補正部１７に送信し、光源制御データＶＤ−Ｓｄを輝度調整データ生成部１５に送信する。
【００５９】
タイミング調整部１４は、上述したように、受信した初期画像データＦ-ＤＶから、液晶表示パネル５９の画像表示に要する新たな同期データ（クロックデータＣＬＫ、垂直同期データＶＳ、および水平同期データＨＳ等）を生成し、それら同期データを、ＬＣＤコントローラ２１およびＬＥＤコントローラ２２に送信する。
【００６０】
輝度調整データ生成部１５は、受信した光源制御データＶＤ−Ｓｄを基にして、ＬＥＤ４１を制御する輝度調整データＶＤ−Ｓｄ［Ａ］を生成する。例えば、図３に示すように、光源制御データＶＤ−Ｓｄが、液晶表示パネル５９の画素総数（例えば、１９２０×１０８０）のデータであり、バックライトユニット４９からの面状光ＢＬ（バックライト光ＢＬ）が、２×２配置のＬＥＤ４１に起因して、２×２の合計４つの部分的な光（部分光ＰＬ）の集まりで形成されているとする。
【００６１】
この場合、輝度調整データ生成部１５は、１９２０×１０８０というデータ規格（データマップ）にしたがった光源制御データＶＤ−Ｓｄを、部分光ＰＬに対応させて分ける。そして、分けられた光源制御データＶＤ−Ｓｄにおける全輝度データから、所望の輝度データを求める。
【００６２】
例えば、光源制御データＶＤ−Ｓｄにおける最大の輝度を基準にして、ＬＥＤ４１を制御したい場合、輝度調整データ生成部１５は、部分光ＰＬに応じて分けられた光源制御データＶＤ−Ｓｄにおける色毎の全輝度データから、最大の輝度データを検出する（すなわち、各部分光ＰＬにて、赤色、緑色、青色の色毎に対応した最大輝度データが検出される）。
【００６３】
そして、輝度調整データ生成部１５は、この最大輝度データを、ＬＥＤ４１を制御する輝度調整データＶＤ−Ｓｄ［Ａ］として、ＬＥＤコントローラ２２へ送信する（なお、輝度調整データＶＤ−Ｓｄ［Ａ］は、色毎の全輝度データにおける最大輝度データとは限らず、例えば、平均輝度データのような別種のデータであってもかまわない）。
【００６４】
ここで、理解を容易にすべく、図３に示されるようなＬＥＤ４１に対応する輝度調整データＶＤ−Ｓｄ［Ａ］のデータ値が、例えば、
２×２の４つの部分光ＰＬのうち左上の部分光ＰＬを生成するＬＥＤ４１に対応する輝度調整データＶＤ−Ｓｄ［Ａ］のデータ値を“４０”、
２×２の４つの部分光ＰＬのうち右上の部分光ＰＬを生成するＬＥＤ４１に対応する輝度調整データＶＤ−Ｓｄ［Ａ］のデータ値を“１００”、
２×２の４つの部分光ＰＬのうち左下の部分光ＰＬを生成するＬＥＤ４１に対応する輝度調整データＶＤ−Ｓｄ［Ａ］のデータ値を“８０”、
２×２の４つの部分光ＰＬのうち右下の部分光ＰＬを生成するＬＥＤ４１に対応する輝度調整データＶＤ−Ｓｄ［Ａ］のデータ値を“２０”、
として、以下説明を続ける。
【００６５】
輝度調整データ生成部１５は、輝度調整データＶＤ−Ｓｄ［Ａ］をＬＥＤコントローラ２２に送信するともに、フィルタ加工部１６にも送信する。このフィルタ加工部１６は、例えば、図４Ａ、図４Ｂ、図４Ｃに示されるような、複数の輝度拡散フィルタＦＴ（ＦＴ−１、ＦＴ−２、ＦＴ−３）を記憶するフィルタメモリ１６Ｍを内蔵し、適宜、最適の輝度拡散フィルタＦＴを用いて、輝度調整データＶＤ−Ｓｄ［Ａ］を加工する（なお、輝度拡散フィルタＦＴの記憶方式は、フィルタメモリ１６Ｍに限定されるものではない）。
【００６６】
なお、輝度拡散フィルタ（Brightness  Distribution  Filter）ＦＴは、ＬＥＤ４１を原因として、部分光ＰＬ同士の輝度分布に差異がある場合、その差異を考慮したバックライト光ＢＬの輝度分布データを得るためのフィルタである（なお、図４Ａ〜図４Ｃ、さらには、後述の他の図でも、輝度拡散フィルタＦＴに示される点線は、求める輝度分布の外形を簡略的に示す）。そのため、加工後の輝度調整データＶＤ−Ｓｄ［Ａ］を、輝度分布データＶＤ−Ｓｄ［ＡＦ］とする（なお、詳細については後述する）。
【００６７】
輝度分布データＶＤ−Ｓｄ［ＡＦ］は、例えば、以下のようにして求められる。まず、フィルタ加工部１６は、輝度分布データＶＤ−Ｓｄ［ＡＦ］の規格を設定する。この規格は、面状のバックライト光ＢＬを想定して、例えば図５Ａに示すような、９×７のマトリックス型のデータ規格が設定されたものとする。
【００６８】
次に、フィルタ加工部１６は、輝度分布データＶＤ−Ｓｄ［ＡＦ］のデータ規格（データマップ）にて、複数の輝度調整データＶＤ−Ｓｄ［Ａ］(例えば、“４０”、“１００”、“８０”、“２０”)の位置を設定する。この位置は、例えばバックライトシャーシ４３上のＬＥＤ４１の位置が反映される。そのため、図３に示すように、２×２のマトリックス配置でＬＥＤ４１が配置されていると、図５Ｂに示すように、９×７のデータ規格の中にて、輝度調整データＶＤ−Ｓｄ［Ａ］の位置は、マトリックス状に配置される（斜線ハッチングの部分が、輝度調整データＶＤ−Ｓｄ［Ａ］の位置になる）。
【００６９】
そして、フィルタ加工部１６は、輝度調整データＶＤ−Ｓｄ［Ａ］毎に、適した輝度拡散フィルタＦＴを用いて補正する。例えば図６Ａに示すような、輝度調整データＶＤ−Ｓｄ［Ａ］のデータ値“４０”に対して、輝度拡散フィルタＦＴ−１が適していると、フィルタ加工部１６が判断すると、フィルタ加工部１６は、図６Ｂに示すように、輝度拡散フィルタＦＴ−１の基準位置ＢＤ（フィルタの網線ハッチング部分の値“１００”）と、輝度調整データＶＤ−Ｓｄ［Ａ］とを合わせる。
【００７０】
そして、フィルタ加工部１６は、輝度拡散フィルタＦＴ−１の各フィルタ値に対して、輝度調整データＶＤ−Ｓｄ［Ａ］のデータ値“４０”を乗算し、さらに、乗算値の値を小さくするために、それら乗算値を“１００”という調整値で除算する。この除算結果を図示すると、図６Ｃのようになる。
【００７１】
次に、フィルタ加工部１６は、図７Ａに示すような、輝度調整データＶＤ−Ｓｄ［Ａ］のデータ値“１００”に対して、適した輝度拡散フィルタＦＴを判別する。そして、輝度調整データＶＤ−Ｓｄ［Ａ］のデータ値“１００”に対して、輝度拡散フィルタＦＴ−２が適していると、フィルタ加工部１６が判断すると、フィルタ加工部１６は、図７Ｂに示すように、輝度拡散フィルタＦＴ−２の基準位置ＢＤ（フィルタの網線ハッチング部分の値“１００”）と、輝度調整データＶＤ−Ｓｄ［Ａ］とを合わせる。
【００７２】
そして、フィルタ加工部１６は、輝度拡散フィルタＦＴ−２の各フィルタ値に対して、輝度調整データＶＤ−Ｓｄ［Ａ］のデータ値“１００”を乗算し、さらに、それら乗算値を“１００”という調整値で除算する（なお、マトリックス状のデータ規格外に位置するフィルタ値は、計算されない）。この除算結果を図示すると、図７Ｃのようになる。
【００７３】
次に、フィルタ加工部１６は、図８Ａに示すような、輝度調整データＶＤ−Ｓｄ［Ａ］のデータ値“８０”に対して、適した輝度拡散フィルタＦＴを判別する。そして、輝度調整データＶＤ−Ｓｄ［Ａ］のデータ値“８０”に対して、輝度拡散フィルタＦＴ−２が適していると、フィルタ加工部１６が判断すると、フィルタ加工部１６は、図８Ｂに示すように、輝度拡散フィルタＦＴ−２の基準位置ＢＤと、輝度調整データＶＤ−Ｓｄ［Ａ］とを合わせる。
【００７４】
そして、フィルタ加工部１６は、輝度拡散フィルタＦＴ−２の各フィルタ値に対して、輝度調整データＶＤ−Ｓｄ［Ａ］のデータ値“８０”を乗算し、さらに、それら乗算値を“１００”という調整値で除算する（なお、上記同様、マトリックス状のデータ規格外に位置するフィルタ値は、計算されない）。この除算結果を図示すると、図８Ｃのようになる。
【００７５】
次に、フィルタ加工部１６は、図９Ａに示すような、輝度調整データＶＤ−Ｓｄ［Ａ］のデータ値“２０”に対して、適した輝度拡散フィルタＦＴを判別する。そして、輝度調整データＶＤ−Ｓｄ［Ａ］のデータ値“２０”に対して、輝度拡散フィルタＦＴ−１が適していると、フィルタ加工部１６が判断すると、フィルタ加工部１６は、図９Ｂに示すように、輝度拡散フィルタＦＴ−１の基準位置ＢＤと、輝度調整データＶＤ−Ｓｄ［Ａ］とを合わせる。
【００７６】
そして、フィルタ加工部１６は、輝度拡散フィルタＦＴ−１の各フィルタ値に対して、輝度調整データＶＤ−Ｓｄ［Ａ］のデータ値“２０”を乗算し、さらに、それら乗算値を“１００”という調整値で除算する。この除算結果を図示すると、図９Ｃのようになる。
【００７７】
そして、フィルタ加工部１６は、図６Ｃ、図７Ｃ、図８Ｃ、図９Ｃに示される除算値を、図１０に示すように、輝度分布データＶＤ−Ｓｄ［ＡＦ］のデータ規格におけるマトリックス毎、すなわちマス目毎に加算する（なお、図６Ｃ、図７Ｃ、図８Ｃ、図９Ｃにおいて、データ値が未記載のマス目は“０”のデータ値とする）。
【００７８】
これにより、フィルタ加工部１６では、部分光ＰＬ毎の輝度分布の構成部分である最大輝度データ（すなわち、輝度調整データＶＤ−Ｓｄ［Ａ］）が、複数種類の輝度拡散フィルタＦＴのうちの適した１つを用いて加工されることで、輝度分布データになり、さらに、その輝度分布データが重ね合わさることで、部分光ＰＬ同士の干渉等を反映した輝度分布データが生成される。
【００７９】
そして、この輝度分布データ、すなわち、加工された輝度調整データＶＤ−Ｓｄ［Ａ］である輝度分布データＶＤ−Ｓｄ［ＡＦ］を、フィルタ加工部１６は、パネル制御データ補正部１７に送信する。すなわち、フィルタ加工部１６は、輝度分布データＶＤ−Ｓｄ［ＡＦ］をパネル制御データＶＤ−Ｓｐに反映させるべく（すなわち、パネル制御データＶＤ−Ｓｐに対する補正のために）、図１０に示されるような輝度分布データＶＤ−Ｓｄ［ＡＦ］を、パネル制御データ補正部１７に送信する。
【００８０】
パネル制御データ補正部１７は、映像データ処理部１３から受信したパネル制御データＶＤ−Ｓｐを、フィルタ加工部１６から受信した輝度分布データＶＤ−Ｓｄ［ＡＦ］を用いて補正する。例えば、フィルタ加工部１６は、輝度分布データＶＤ−Ｓｄ［ＡＦ］を線形補間処理等することで、パネル制御データＶＤ−Ｓｐと同じような１９２０×１０８０のデータにし、その処理後のデータを基に、パネル制御データＶＤ−Ｓｐを算出する。
【００８１】
この算出されたデータは、パネル制御データＶＤ−Ｓｐに対して輝度分布データＶＤ−Ｓｄ［ＡＦ］を反映させたデータ、すなわち、補正パネル制御データＶＤ−Ｓｐ［ｄ］となる。
【００８２】
つまり、パネル制御データ補正部１７は、バックライト光ＢＬに含まれる部分光ＰＬ毎の輝度に対応した輝度拡散フィルタＦＴを用いた加工後のデータ（輝度分布データＶＤ−Ｓｄ［ＡＦ］）から、液晶表示パネル５９における画素の光透過率を制御する補正パネル制御データＶＤ−Ｓｐ［ｄ］を生成する（なお、補正パネル制御データＶＤ−Ｓｐ［ｄ］は、色毎に生成される）。そして、この補正パネル制御データＶＤ−Ｓｐ［ｄ］に応じて、液晶表示パネル５９の表示画像が制御される。
【００８３】
総括すると、コントロールユニット１１の画像制御部１２には、映像データ処理部１３、輝度調整データ生成部１５、フィルタ加工部１６、およびパネル制御データ補正部１７とが含まれる。
【００８４】
映像データ処理部１３は、映像データを取得し、その映像データから光源制御データＶＤ−Ｓｄとパネル制御データＶＤ−Ｓｐとを生成する。
【００８５】
輝度調整データ生成部１５は、光源制御データＶＤ−Ｓｄを、バックライト光ＢＬに含まれる部分光ＰＬ毎に応じて加工することで、ＬＥＤ４１の輝度を制御する輝度調整データＶＤ−Ｓｄ［Ａ］を生成する。
【００８６】
フィルタ加工部１６は、ＬＥＤ４１を原因にして、複数の部分光ＰＬの輝度分布が多種類になり、それら部分光ＰＬに対応する輝度調整データＶＤ−Ｓｄ［Ａ］毎に対して、複数の輝度拡散フィルタＦＴのうちの１つで加工を行うことで、輝度分布データＶＤ−Ｓｄ［ＡＦ］を生成する（ただし、加工精度の向上のために、１つの輝度調整データＶＤ−Ｓｄ［Ａ］を、複数の輝度拡散フィルタＦＴで加工することもあり得る）。
【００８７】
パネル制御データ補正部１７は、輝度分布データＶＤ−Ｓｄ［ＡＦ］と、パネル制御データＶＤ−Ｓｐとから、液晶表示パネル５９の表示画像を制御する補正パネル制御データＶＤ−Ｓｐ［ｄ］を生成する。
【００８８】
以上のような画像制御部１２では、フィルタ加工部１６は、部分光ＰＬにあわせて、複数の輝度拡散フィルタＦＴのうちの最も適した輝度拡散フィルタＦＴで、輝度分布データＶＤ−Ｓｄ［ＡＦ］を生成することになる。そのため、この輝度分布データＶＤ−Ｓｄ［ＡＦ］は、例えば、１種類の輝度拡散フィルタで生成される輝度分布データに比べて、部分光ＰＬ毎の干渉等を反映させた正確なデータになる。
【００８９】
すると、この輝度分布データＶＤ−Ｓｄ［ＡＦ］にて補正された補正パネル制御データＶＤ−Ｓｐ［ｄ］と、輝度調整データＶＤ−Ｓｄ［Ａ］との合致度合いは、パネル制御データＶＤ−Ｓｐと、輝度調整データＶＤ−Ｓｄ［Ａ］との合致度合いに比べて、高精度になり、その結果、液晶表示装置６９の表示画像の品位が向上する（要は、複数の部分光ＰＬを含むバックライト光ＢＬの輝度分布と、液晶表示パネル５９の表示画像の輝度分布との一致性とが向上し、液晶表示装置６９の表示画像の品位が向上する）。
【００９０】
その上、部分光ＰＬの違いを生み出すＬＥＤ４１に種類差（例えば、メーカーの違い、値段の違い）があっても、液晶表示装置６９の表示画像の品位が向上するので、ＬＥＤ４１の選択の自由度が増す（例えば、コストダウンのために、複数のＬＥＤ４１群のうち、低コストのＬＥＤ４１の割合が高められてもよい）。
【００９１】
ところで、フィルタ加工部１６は、例えば、部分光ＰＬの入射する液晶表示パネル５９の領域（表示領域）に対応したパネル制御データＶＤ−Ｓｐに応じて、輝度拡散フィルタＦＴを変えているわけではなく、ＬＥＤ４１を原因にした部分光ＰＬの輝度分布の違いに応じて、輝度拡散フィルタＦＴを変えている。
【００９２】
そして、ＬＥＤ４１を原因にした部分光ＰＬの輝度分布の違いが生じる場合としては、以下のような実施例（ＥＸ）１〜５が考えられる。
【００９３】
〈実施例１〉
例えば、実施例１では、図１１Ａに示すような、８×４の部分光ＰＬの集まったバックライト光ＢＬ（面状光ＢＬ）にて、部分光ＰＬを生成するＬＥＤ４１の種類が多種類有る。そして、この種類の違いは、高輝度の光を発せられるパワーＬＥＤ４１Ｈであるか否かである（要は、比較的高輝度の光を発するパワーＬＥＤ４１Ｈか、その高輝度以下の標準的な輝度の光を発する標準ＬＥＤ４１Ｓかの違いである）。
【００９４】
パワーＬＥＤ（パワー発光素子）４１Ｈとは、比較的大きな数ワット程度の電力によって、数１０〜１００ルーメン以上の明るさを確保できるＬＥＤ４１である。一方、標準ＬＥＤ（標準発光素子）４１Ｓとは、数１００ミリワット程度の電力によって、数ルーメン程度の明るさを確保できるＬＥＤ４１である（要は、パワーＬＥＤ４１の固有輝度分布と、標準ＬＥＤ４１の固有輝度分布とが異なっている）。
【００９５】
そして、このようなパワーＬＥＤ４１Ｈか標準ＬＥＤ４１Ｓかの違いに起因して、パワーＬＥＤ４１Ｈで生成される部分光ＰＬｈの輝度分布と、標準ＬＥＤ４１Ｓで生成される部分光ＰＬｓの輝度分布とが異なるので、それらの違いを考慮する。
【００９６】
すなわち、図１１Ｂに示されるようなパワーＬＥＤ４１Ｈへの輝度調整データＶＤ−Ｓｄ［Ａ］に対応した輝度拡散フィルタＦＴ-Ｈと、図１１Ｃに示されるような標準ＬＥＤ４１Ｓへの輝度調整データＶＤ−Ｓｄ［Ａ］に対応した輝度拡散フィルタＦＴ-Ｓとが、異なる。
【００９７】
すると、図１１Ｄに示すように、異なる輝度拡散フィルタＦＴ−Ｈと輝度拡散フィルタＦＴ−Ｓとを用いて、バックライト光ＢＬの輝度分布データＶＤ−Ｓｄ［ＡＦ］が生成される。この輝度分布データＶＤ−Ｓｄ［ＡＦ］は、パワーＬＥＤ４１Ｈと標準ＬＥＤ４１ＳというＬＥＤ４１の固有輝度分布に起因した部分光ＰＬ（ＰＬｈ・ＰＬｓ）の輝度分布の違いに対応して、複数の輝度拡散フィルタＦＴ（ＦＴ−Ｈ・ＦＴ−Ｓ）で、生成される。
【００９８】
そのため、この輝度分布データＶＤ−Ｓｄ［ＡＦ］は、例えば、１種類の輝度拡散フィルタで生成される輝度分布データに比べて、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【００９９】
〈実施例２〉
実施例２では、ＬＥＤ４１を原因にした部分光ＰＬの輝度分布の違いは、ＬＥＤ４１の白色光の生成の違いである。この違いとは、赤色発光のＬＥＤチップ、緑色発光のＬＥＤチップ、および青色発光のＬＥＤチップという多色のＬＥＤチップ（発光チップ）を含み、それらのＬＥＤチップからの光を混ぜることで、白色光を生成するＬＥＤ４１ＲＧＢか、青色発光のＬＥＤチップと、そのＬＥＤチップからの光を受けて黄色光を蛍光発光する蛍光体と、を含み、青色発光のＬＥＤチップからの光と蛍光発光する黄色光とを混ぜることで、白色光を生成するＬＥＤ４１Ｅかの違いである（図１２Ａ参照）。
【０１００】
このような違い（すなわち、ＬＥＤ４１ＲＧＢの固有輝度分布と、ＬＥＤ４１Ｅの固有輝度分布との違い）によって、ＬＥＤ４１ＲＧＢで生成される部分光ＰＬｒｇｂの輝度分布と、ＬＥＤ４１Ｅで生成される部分光ＰＬｅの輝度分布とが異なるので、それら輝度分布の違いを考慮する。
【０１０１】
すなわち、図１２Ｂに示されるようなＬＥＤ４１ＲＧＢへの輝度調整データＶＤ−Ｓｄ［Ａ］に対応した輝度拡散フィルタＦＴ-ＲＧＢと、図１２Ｃに示されるようなＬＥＤ４１Ｅへの輝度調整データＶＤ−Ｓｄ［Ａ］に対応した輝度拡散フィルタＦＴ-Ｅとが、異なる。
【０１０２】
すると、図１２Ｄに示すように、異なる輝度拡散フィルタＦＴ−ＲＧＢと輝度拡散フィルタＦＴ−Ｅとを用いて、バックライト光ＢＬの輝度分布データＶＤ−Ｓｄ［ＡＦ］が生成される。この輝度分布データＶＤ−Ｓｄ［ＡＦ］は、ＬＥＤ４１ＲＧＢとＬＥＤ４１Ｅという白色光の生成の仕組み（要は、ＬＥＤ４１ＲＧＢの固有輝度分布とＬＥＤ４１Ｅの固有輝度分布と）に起因した部分光ＰＬ（ＰＬｒｇｂ・ＰＬｅ）の輝度分布の違いに対応して、複数の輝度拡散フィルタＦＴ（ＦＴ−ＲＧＢ・ＦＴ−Ｅ）で、生成される。
【０１０３】
そのため、実施例２での輝度分布データＶＤ−Ｓｄ［ＡＦ］は、実施例１同様に、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【０１０４】
なお、実施例１のパワーＬＥＤ４１Ｈか標準ＬＥＤ４１Ｓかの違いと、実施例２の三色混合型のＬＥＤ４１ＲＧＢか蛍光発光型のＬＥＤ４１Ｅかの違いとが、組み合わさる場合も想定される。しかし、どのような組み合わせであっても、部分光ＰＬの輝度分布の違いに応じた輝度拡散フィルタＦＴが利用されれば、輝度分布データＶＤ−Ｓｄ［ＡＦ］の精度が向上する。
【０１０５】
〈実施例３〉
実施例３では、ＬＥＤ４１を原因にした部分光ＰＬの輝度分布の違いは、ＬＥＤ４１の配置間隔（配置ピッチ）の違いである。例えば、図１３Ａに示すように、バックライト光ＢＬの中心付近に位置する部分光ＰＬｃを生成するＬＥＤ４１の配置間隔と、バックライト光ＢＬの周辺付近に位置する部分光ＰＬｔを生成するＬＥＤ４１の配置間隔とが、異なる（要は、ＬＥＤ４１の密集度合いが異なる）。
【０１０６】
このような違いによって、バックライト光ＢＬの中心付近に位置する部分光ＰＬｃの輝度分布と、バックライト光ＢＬの周辺付近に位置する部分光ＰＬｔの輝度分布とが異なるので、それらの違いを考慮する。
【０１０７】
すなわち、図１３Ｂに示されるような部分光ＰＬｃを生成するＬＥＤ４１への輝度調整データＶＤ−Ｓｄ［Ａ］に対応した輝度拡散フィルタＦＴ-Ｃと、図１３Ｃに示されるような部分光ＰＬｔを生成するＬＥＤ４１への輝度調整データＶＤ−Ｓｄ［Ａ］に対応した輝度拡散フィルタＦＴ-Ｔとが、異なる。
【０１０８】
すると、図１３Ｄに示すように、異なる輝度拡散フィルタＦＴ−Ｃと輝度拡散フィルタＦＴ−Ｔとを用いて、バックライト光ＢＬの輝度分布データＶＤ−Ｓｄ［ＡＦ］が生成される。この輝度分布データＶＤ−Ｓｄ［ＡＦ］は、ＬＥＤ４１の配置に起因した部分光ＰＬ（ＰＬｃ・ＰＬｔ）の輝度分布の違いに対応して、複数の輝度拡散フィルタＦＴ（ＦＴ−Ｃ・ＦＴ−Ｔ）で、生成される。
【０１０９】
そのため、実施例３での輝度分布データＶＤ−Ｓｄ［ＡＦ］は、実施例１・２同様に、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【０１１０】
なお、実施例１および実施例２の少なくとも１つの実施例における違いと、実施例３におけるＬＥＤ４１の配置ピッチの違いとが、組み合わさる場合も想定される。しかし、どのような組み合わせであっても、部分光ＰＬの輝度分布の違いに応じた輝度拡散フィルタＦＴが利用されれば、輝度分布データＶＤ−Ｓｄ［ＡＦ］の精度が向上する。
【０１１１】
〈実施例４〉
実施例４では、ＬＥＤ４１を原因にした部分光ＰＬの輝度分布の違いは、各部分光ＰＬを生成するＬＥＤ４１の個数差である。例えば、図１４Ａに示すように、バックライト光ＢＬの中心付近に位置する部分光ＰＬｍを生成するＬＥＤ４１の個数は４個であるが、バックライト光ＢＬの周辺付近に位置する部分光ＰＬｆを生成するＬＥＤ４１の配置間隔は１個である（要は、ＬＥＤ４１の密集度合いが異なる）。
【０１１２】
このような違いによって、バックライト光ＢＬの中心付近に位置する部分光ＰＬｍの輝度分布と、バックライト光ＢＬの周辺付近に位置する部分光ＰＬｆの輝度分布とが異なるので、それらの違いを考慮する。
【０１１３】
すなわち、図１４Ｂに示されるような部分光ＰＬｍを生成するＬＥＤ４１への輝度調整データＶＤ−Ｓｄ［Ａ］に対応した輝度拡散フィルタＦＴ-Ｍと、図１４Ｃに示されるような部分光ＰＬｆを生成するＬＥＤ４１への輝度調整データＶＤ−Ｓｄ［Ａ］に対応した輝度拡散フィルタＦＴ-Ｆとが、異なる。
【０１１４】
すると、図１４Ｄに示すように、異なる輝度拡散フィルタＦＴ−Ｍと輝度拡散フィルタＦＴ−Ｆとを用いて、バックライト光ＢＬの輝度分布データＶＤ−Ｓｄ［ＡＦ］が生成される。この輝度分布データＶＤ−Ｓｄ［ＡＦ］は、各部分光ＰＬの生成に要するＬＥＤ４１の個数に起因した部分光ＰＬ（ＰＬｍ・ＰＬｆ）の輝度分布の違いに対応して、複数の輝度拡散フィルタＦＴ（ＦＴ−Ｍ・ＦＴ−Ｆ）で、生成される。
【０１１５】
そのため、実施例４での輝度分布データＶＤ−Ｓｄ［ＡＦ］は、実施例１〜３同様に、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【０１１６】
なお、実施例１〜実施例３の少なくとも１つの実施例における違いと、実施例４の各部分光ＰＬを生成するＬＥＤ４１の個数の違いとが、組み合わさる場合も想定される。しかし、どのような組み合わせであっても、部分光ＰＬの輝度分布の違いに応じた輝度拡散フィルタＦＴが利用されれば、輝度分布データＶＤ−Ｓｄ［ＡＦ］の精度が向上する。
【０１１７】
〈実施例５〉
実施例５では、ＬＥＤ４１を原因にした部分光ＰＬの輝度分布の違いは、各部分光ＰＬを生成する各色ＬＥＤ４１の配置の違いである。
【０１１８】
実施例１〜４では、１個のＬＥＤ４１が、白色光の部分光ＰＬを生成していた。しかし、例えば密集配置された（すなわち、１つの点状光源と把握できるぐらいに密集配置された）赤色発光ＬＥＤ４１Ｒ、緑色発光ＬＥＤ４１Ｇ、および青色発光ＬＥＤ４１Ｂが光を混ぜることでも、白色光の部分光ＰＬは生成される。そこで、このような密集配置したＬＥＤ４１Ｒ、ＬＥＤ４１Ｇ、ＬＥＤ４１Ｂとバックライト光ＢＬとを示すと、図１５Ａのようになる。
【０１１９】
この図１５Ａに示すように、部分光ＰＬ（ＰＬ１〜ＰＬ３）は、３つのＬＥＤ（ＬＥＤ４１Ｒ、ＬＥＤ４１Ｇ、ＬＥＤ４１Ｂ）からの光で生成される。ただし、その３つのＬＥＤ（ＬＥＤ４１Ｒ、ＬＥＤ４１Ｇ、ＬＥＤ４１Ｂ）の配置は、複数種類有る。
【０１２０】
具体的には、三角状（△状）に密集し、時計回りで、ＬＥＤ４１Ｇ、ＬＥＤ４１Ｂ、ＬＥＤ４１Ｒに並ぶ配置と、逆三角状（▽状）に密集し、時計回りで、ＬＥＤ４１Ｒ、ＬＥＤ４１Ｇ、ＬＥＤ４１Ｂに並ぶ配置と、三角状（△状）に密集し、時計回りで、ＬＥＤ４１Ｒ、ＬＥＤ４１Ｇ、ＬＥＤ４１Ｂに並ぶ配置と、が有る。
【０１２１】
そして、三角状（△状）に密集し、時計回りで、ＬＥＤ４１Ｇ、ＬＥＤ４１Ｂ、ＬＥＤ４１Ｒに並ぶＬＥＤ４１の群で生成される部分光ＰＬ１の輝度分布と、逆三角状（▽状）に密集し、時計回りで、ＬＥＤ４１Ｒ、ＬＥＤ４１Ｇ、ＬＥＤ４１Ｂに並ぶＬＥＤ４１の群で生成される部分光ＰＬ２の輝度分布と、三角状（△状）に密集し、時計回りで、ＬＥＤ４１Ｒ、ＬＥＤ４１Ｇ、ＬＥＤ４１Ｂに並ぶＬＥＤ４１の群で生成される部分光ＰＬ３の輝度分布とが、異なる。
【０１２２】
そこで、それらの輝度分布の違いを考慮する。すなわち、図１５Ｂに示されるような部分光ＰＬ１を生成するＬＥＤ４１の群への輝度調整データＶＤ−Ｓｄ［Ａ］に対応した輝度拡散フィルタＦＴ-Ｇ１と、図１５Ｃに示されるような部分光ＰＬ２を生成するＬＥＤ４１の群への輝度調整データＶＤ−Ｓｄ［Ａ］に対応した輝度拡散フィルタＦＴ-Ｇ２と、図１５Ｄに示されるような部分光ＰＬ３を生成するＬＥＤ４１の群への輝度調整データＶＤ−Ｓｄ［Ａ］に対応した輝度拡散フィルタＦＴ-Ｇ３とが、異なる（なお、輝度拡散フィルタＦＴ−Ｇ１〜ＦＴ−Ｇ３では、ＬＥＤ４１Ｇの位置にあわせて、基準位置ＢＤが異なる）。
【０１２３】
すると、図１５Ｅに示すように、異なる輝度拡散フィルタＦＴ−Ｇ１と輝度拡散フィルタＦＴ−Ｇ２と輝度拡散フィルタＦＴ−Ｇ３とを用いて、バックライト光ＢＬの輝度分布データＶＤ−Ｓｄ［ＡＦ］が生成される。この輝度分布データＶＤ−Ｓｄ［ＡＦ］は、３つのＬＥＤ（ＬＥＤ４１Ｒ、ＬＥＤ４１Ｇ、ＬＥＤ４１Ｂ）の配置に起因した部分光ＰＬ（ＰＬ１〜ＰＬ３）の輝度分布の違いに対応して、複数の輝度拡散フィルタＦＴ（ＦＴ−Ｇ１〜ＦＴ−Ｇ３）で、生成される。
【０１２４】
そのため、実施例５での輝度分布データＶＤ−Ｓｄ［ＡＦ］は、実施例１〜４同様に、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【０１２５】
なお、実施例１〜実施例４の少なくとも１つの実施例における違いと、実施例５における３色ＬＥＤ４１（４１Ｒ、４１Ｇ、４１Ｂ）の配置の違いとが、組み合わさる場合も想定される。しかし、どのような組み合わせであっても、部分光ＰＬの輝度分布の違いに応じた輝度拡散フィルタＦＴが利用されれば、輝度分布データＶＤ−Ｓｄ［ＡＦ］の精度が向上する。
【０１２６】
［実施の形態２］
実施の形態２について説明する。なお、実施の形態１で用いた部材と同様の機能を有する部材については同一の符号を付記し、その説明を省略する。
【０１２７】
実施の形態１では、図１６に示すように、バックライトユニット４９に含まれるバックライトシャーシ４３上の実装基板４２にて、格子配置されたＬＥＤ４１の光が混ざることで、面状光が生成されていた（このようなバックライトユニット４９は、直下型のバックライトユニット４９と称される）。しかし、バックライトユニット４９の種類は、他にも多々ある。
【０１２８】
例えば、図１６の分解斜視図に示すように、１枚の導光板４７を用いたバックライトユニット４９もある。詳説すると、このバックライトユニット４９では、導光板４７にて対向する側面４７Ｅに、複数のＬＥＤ４１が配置され、それらＬＥＤ４１の光が、導光板４７の側面４７Ｅに入射する。そして、導光板４７に入射した光は、導光板４７内部で、多重反射することで、導光板４７の天面４７Ｕから面状光ＢＬとして出射する（なお、導光板４７の底面４７Ｂには、導光板４７の外部に漏れた光を導光板４７の内部に戻すように反射させる反射シート４８が配置される）。ここで、このようなバックライトユニット４９を搭載する液晶表示装置６９を実施例６とする。
【０１２９】
〈実施例６〉
実施例６の液晶表示装置６９では、導光板４７の天面４７Ｕからみたバックライト光ＢＬは、図１７Ａのように示される。ここで、例えば、４個の並列するＬＥＤ４１と、それらＬＥＤ４１に対向する４個の並列するＬＥＤ４１との個数にあわせて、部分光ＰＬが設定される（４×２の部分光ＰＬが混ざることで、バックライト光ＢＬが生成される）。
【０１３０】
この実施例６では、ＬＥＤ４１を原因にした部分光ＰＬの輝度分布の違いは、対向関係にあるＬＥＤ４１による光の出射方向の違いである（要は、ＬＥＤ４１からの光が対向している；図１６の一点鎖線矢印参照）。そして、このような違いによって、対向関係の一方に光を出射するＬＥＤ４１で生成される部分光ＰＬｏ１の輝度分布と、対向関係の他方に光を出射するＬＥＤ４１で部分光ＰＬｏ２の輝度分布とが異なるので、それら輝度分布の違いを考慮する。
【０１３１】
すなわち、図１７Ｂに示されるような部分光ＰＬｏ１を生成するＬＥＤ４１への輝度調整データＶＤ−Ｓｄ［Ａ］に対応した輝度拡散フィルタＦＴ-ｏ１と、図１７Ｃに示されるような部分光ＰＬｏ２を生成するＬＥＤ４１への輝度調整データＶＤ−Ｓｄ［Ａ］に対応した輝度拡散フィルタＦＴ-ｏ２とが、異なる（なお、具体的なフィルタ値の数値例を明記した輝度拡散フィルタＦＴ-ｏ１と輝度拡散フィルタＦＴ-ｏ２とを、図１８Ａおよび図１８Ｂに示す）。
【０１３２】
すると、図１７Ｄに示すように、異なる輝度拡散フィルタＦＴ−ｏ１と輝度拡散フィルタＦＴ−ｏ２とを用いて、バックライト光ＢＬの輝度分布データＶＤ−Ｓｄ［ＡＦ］が生成される。この輝度分布データＶＤ−Ｓｄ［ＡＦ］は、ＬＥＤ４１の出射方向に起因した部分光ＰＬ（ＰＬｏ１・ＰＬｏ２）の輝度分布の違いに対応して、複数の輝度拡散フィルタＦＴ（ＦＴ−ｏ１・ＦＴ−ｏ２）で、生成される。
【０１３３】
そのため、実施例６での輝度分布データＶＤ−Ｓｄ［ＡＦ］は、実施例１〜５同様に、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【０１３４】
なお、実施例１〜実施例５の少なくとも１つの実施例における違いと、実施例６におけるＬＥＤ４１の出射方向の違いとが、組み合わさる場合も想定される。しかし、どのような組み合わせであっても、部分光ＰＬの輝度分布の違いに応じた輝度拡散フィルタＦＴが利用されれば、輝度分布データＶＤ−Ｓｄ［ＡＦ］の精度が向上する。
【０１３５】
［実施の形態３］
実施の形態３について説明する。なお、実施の形態１・２で用いた部材と同様の機能を有する部材については同一の符号を付記し、その説明を省略する。
【０１３６】
実施の形態１・２以外のバックライトユニット４９の種類も有る。例えば、図１９に示すように、格子状に密集した複数の導光片４７Ｐを搭載するバックライトユニット４９である（このような導光片４７Ｐの集まりで形成される導光板４７は、タンデム型導光板４７と称される）。
【０１３７】
そして、このようなバックライトユニット４９では、各導光片４７Ｐに対応してＬＥＤ４１が搭載されており、さらに、ＬＥＤ４１の出射方向の向きが２種類有り（一点鎖線矢印参照）、それらの出射方向の向きは対向する。ここで、このようなバックライトユニット４９を搭載する液晶表示装置６９を実施例７とする。
【０１３８】
〈実施例７〉
実施例７の液晶表示装置６９では、６×４の格子配置になった導光片４７Ｐの天面４７ＰＵからみたバックライト光ＢＬは、図２０Ａのように示される。ここで、例えば、導光片４７Ｐの配置および個数にあわせて、部分光ＰＬが千鳥状に設定される（６×４の部分光ＰＬが混ざることで、バックライト光ＢＬが生成される）。
【０１３９】
この実施例７では、ＬＥＤ４１を原因にした部分光ＰＬの輝度分布の違いは、ＬＥＤ４１の出射方向の違いである。そして、このような違いによって、対向関係の一方に光を出射するＬＥＤ４１で生成される部分光ＰＬｐ１の輝度分布と、対向関係の他方に光を出射するＬＥＤ４１で部分光ＰＬｐ２の輝度分布とは異なるので、それら輝度分布の違いを考慮する。
【０１４０】
すなわち、図２０Ｂに示されるような部分光ＰＬｐ１を生成するＬＥＤ４１への輝度調整データＶＤ−Ｓｄ［Ａ］に対応した輝度拡散フィルタＦＴ-Ｐ１と、図２０Ｃに示されるような部分光ＰＬｐ２を生成するＬＥＤ４１への輝度調整データＶＤ−Ｓｄ［Ａ］に対応した輝度拡散フィルタＦＴ-Ｐ２とが、異なる。
【０１４１】
すると、図２０Ｄに示すように、異なる輝度拡散フィルタＦＴ−Ｐ１と輝度拡散フィルタＦＴ−Ｐ２とを用いて、バックライト光ＢＬの輝度分布データＶＤ−Ｓｄ［ＡＦ］が生成される。この輝度分布データＶＤ−Ｓｄ［ＡＦ］は、ＬＥＤ４１の出射方向の違いに起因した部分光ＰＬ（ＰＬｐ１・ＰＬｐ２）の輝度分布の違いに対応して、複数の輝度拡散フィルタＦＴ（ＦＴ−Ｐ１・ＦＴ−Ｐ２）で、生成される。
【０１４２】
そのため、実施例７での輝度分布データＶＤ−Ｓｄ［ＡＦ］は、実施例１〜６同様に、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【０１４３】
なお、実施例１〜実施例５の少なくとも１つの実施例における違いと、実施例７のＬＥＤ４１の出射方向の違いとが、組み合わさる場合も想定される。しかし、どのような組み合わせであっても、部分光ＰＬの輝度分布の違いに応じた輝度拡散フィルタＦＴが利用されれば、輝度分布データＶＤ−Ｓｄ［ＡＦ］の精度が向上する。
【０１４４】
［実施の形態４］
実施の形態４について説明する。なお、実施の形態１〜３で用いた部材と同様の機能を有する部材については同一の符号を付記し、その説明を省略する。
【０１４５】
実施の形態１〜３では、複数の部分光ＰＬにおいて、輝度分布の異なる部分光ＰＬが含まれる。そして、これら部分光ＰＬの輝度分布の違いを考慮して、複数の輝度拡散フィルタＦＴで、輝度分布データＶＤ−Ｓｄ［ＡＦ］が生成されていた。ただし、複数の輝度拡散フィルタＦＴを用いるのは、部分光ＰＬの輝度分布の差異に起因するとは限らない。
【０１４６】
例えば、同様の輝度分布を有する部分光ＰＬを混ぜたバックライト光ＢＬを発するバックライトユニット４９であっても、複数の輝度拡散フィルタＦＴが使用されることもある。ここで、このようなバックライトユニット４９を搭載する液晶表示装置６９を実施例８とする。
【０１４７】
〈実施例８〉
実施例８の液晶表示装置６９は直下型のバックライトユニット４９で、バックライト光ＢＬは、図２１Ａのように示される。ここで、８×４の部分光ＰＬが混ざることで、バックライト光ＢＬが設定される。
【０１４８】
そして、各部分光ＰＬは、１つの点状光源と把握できないくらいに、一定距離を隔てて配置された赤色発光ＬＥＤ４１Ｒ、緑色発光ＬＥＤ４１Ｇ、青色発光ＬＥＤ４１Ｂの光の混ざり合いで、生成される。特に、各部分光ＰＬを生成するＬＥＤ４１（４１Ｒ、４１Ｇ、４１Ｂ）は、三角状（△状）に密集し、時計回りで、ＬＥＤ４１Ｇ、ＬＥＤ４１Ｂ、ＬＥＤ４１Ｒに並ぶ。そのため、部分光ＰＬ毎の輝度分布は、同じになる。
【０１４９】
ただし、ＬＥＤ４１（４１Ｒ、４１Ｇ、４１Ｂ）同士の間隔が比較的広いために、３個のＬＥＤ４１の輝度調整データＶＤ−Ｓｄ［Ａ］に対して、同一の輝度拡散フィルタＦＴが用いられてしまうと、部分光ＰＬ単体の輝度分布データが正確にならず、ひいては、輝度分布データＶＤ−Ｓｄ［ＡＦ］が正確にならない。
【０１５０】
そこで、図２１Ｂに示されるような３つのＬＥＤ４１（４１Ｒ、４１Ｇ、４１Ｂ）のうちのＬＥＤ４１Ｒへの輝度調整データＶＤ−Ｓｄ［Ａ］に対応した輝度拡散フィルタＦＴ-Ｒと、図２１Ｃに示されるようなＬＥＤ４１Ｇへの輝度調整データＶＤ−Ｓｄ［Ａ］に対応した輝度拡散フィルタＦＴ-Ｇと、図２１Ｄに示されるようなＬＥＤ４１Ｂへの輝度調整データＶＤ−Ｓｄ［Ａ］に対応した輝度拡散フィルタＦＴ-Ｂとが、異なる｛なお、輝度拡散フィルタＦＴ−Ｒ、ＦＴ−Ｇ、ＦＴ−Ｂでは、対応のＬＥＤ４１（４１Ｒ、４１Ｇ、４１Ｂ）の位置にあわせて、基準位置ＢＤが異なる｝。
【０１５１】
すると、図２１Ｅに示すように、異なる輝度拡散フィルタＦＴ−Ｒと輝度拡散フィルタＦＴ−Ｇと輝度拡散フィルタＦＴ−Ｂとを用いて、バックライト光ＢＬの輝度分布データＶＤ−Ｓｄ［ＡＦ］が生成される。この輝度分布データＶＤ−Ｓｄ［ＡＦ］は、部分光ＰＬを生成する複数のＬＥＤ４１（４１Ｒ、４１Ｇ、４１Ｂ）毎に対応して、複数の輝度拡散フィルタＦＴ（ＦＴ−Ｒ・ＦＴ−Ｇ・ＦＴ−Ｂ）で、生成される（要は、部分光ＰＬ単体の輝度分布データが正確になり、ひいては、輝度分布データＶＤ−Ｓｄ［ＡＦ］が正確になる）。
【０１５２】
そのため、実施例８での輝度分布データＶＤ−Ｓｄ［ＡＦ］は、実施例１〜７同様に、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【０１５３】
なお、実施例１〜実施例４および実施例６・７の少なくとも１つの実施例における違いと、実施例８の色毎のＬＥＤ４１の違いとが、組み合わさる場合も想定される。しかし、どのような組み合わせであっても、部分光ＰＬの輝度分布の違いに応じた輝度拡散フィルタＦＴが利用されれば、輝度分布データＶＤ−Ｓｄ［ＡＦ］の精度が向上する。
【０１５４】
また、実施例８では、異色のＬＥＤ４１（４１Ｒ、４１Ｇ、４１Ｂ）毎に対応して、複数の輝度拡散フィルタＦＴで、輝度分布データＶＤ−Ｓｄ［ＡＦ］は生成されていた。しかし、これに限定されることなく、例えば、１つの部分光ＰＬを生成する複数のＬＥＤ４１が同色の場合であっても、ＬＥＤ４１毎に対応して、複数の輝度拡散フィルタＦＴで、輝度分布データＶＤ−Ｓｄ［ＡＦ］が生成されてもよい。
【０１５５】
［実施の形態５］
実施の形態５について説明する。なお、実施の形態１〜４で用いた部材と同様の機能を有する部材については同一の符号を付記し、その説明を省略する。
【０１５６】
例えば、バックライトユニット４９が動作中、以下の（１）〜（３）の少なくとも１つを原因にして、ＬＥＤ４１の固有輝度分布に変化が生じることがある。
（１）光を発するＬＥＤ４１の故障、
（２）光を遮蔽するＬＥＤ４１への付着物、
（３）発光にともなったＬＥＤ４１の温度上昇（ジャンクション温度の上
昇）、
【０１５７】
そして、ＬＥＤ４１の固有輝度分布に変化が生じると、バックライト光ＢＬを生成する複数の部分光ＰＬ同士の間で、輝度分布に差が生じる。ここで、１つの部分光ＰＬを生成するＬＥＤ４１の群のうち、１つのＬＥＤ４１が故障したバックライトユニット４９を搭載する液晶表示装置６９を実施例９とする。
【０１５８】
〈実施例９〉
実施例９のバックライト光ＢＬでは、図２２Ａに示すように、８×４の部分光ＰＬが集まっているが、故障したＬＥＤ４１を含むＬＥＤ４１の群で生成される部分光ＰＬｕの輝度分布と、正常なＬＥＤ４１の群で生成される部分光ＰＬｎの輝度分布とは、異なる。そこで、それら輝度分布の違いを考慮する。
【０１５９】
まず、画像制御部１２におけるフィルタ加工部１６は、フォトセンサ３４を用いて、全ての部分光ＰＬの輝度（輝度分布）を測定する。そして、フィルタ加工部１６は、ＬＥＤ４１の故障に起因して、比較的低輝度になった部分光ＰＬｕを検知し、さらに、その部分光ＰＬｕの輝度分布から故障したＬＥＤ４１も検知する。
【０１６０】
そして、フィルタ加工部１６は、部分光ＰＬｕに対応する輝度拡散フィルタＦＴ−Ｕを、フィルタメモリ１６Ｍから選択し、その輝度拡散フィルタＦＴ−Ｕで、部分光ＰＬｕを生成するＬＥＤ４１への輝度調整データＶＤ−Ｓｄ［Ａ］を加工する。また、フィルタ加工部１６は、正常な部分光ＰＬｎに対応する輝度拡散フィルタＦＴ−Ｎを、フィルタメモリ１６Ｍから選択し、その輝度拡散フィルタＦＴ−Ｎで、部分光ＰＬｎを生成するＬＥＤ４１への輝度調整データＶＤ−Ｓｄ［Ａ］を加工する。
【０１６１】
そして、図２２Ｂに示されるような部分光ＰＬｕを生成するＬＥＤ４１への輝度調整データＶＤ−Ｓｄ［Ａ］に対応した輝度拡散フィルタＦＴ-Ｕと、図２２Ｃに示されるような部分光ＰＬｎを生成するＬＥＤ４１への輝度調整データＶＤ−Ｓｄ［Ａ］に対応した輝度拡散フィルタＦＴ-Ｎとが、異なる（なお、具体的なフィルタ値の数値例を明記した輝度拡散フィルタＦＴ-Ｕを、図２３に示す）。
【０１６２】
すると、図２２Ｄに示すように、異なる輝度拡散フィルタＦＴ−Ｕと輝度拡散フィルタＦＴ−Ｎとを用いて、バックライト光ＢＬの輝度分布データＶＤ−Ｓｄ［ＡＦ］が生成される。この輝度分布データＶＤ−Ｓｄ［ＡＦ］は、ＬＥＤ４１の出射方向の違いに起因した部分光ＰＬ（ＰＬｕ・ＰＬｎ）の輝度分布の違いに対応して、複数の輝度拡散フィルタ（ＦＴ−Ｕ・ＦＴ−Ｎ）で、生成される。
【０１６３】
そのため、実施例９での輝度分布データＶＤ−Ｓｄ［ＡＦ］は、実施例１〜８同様に、部分光ＰＬ毎の干渉等を反映させた正確なデータになる。さらに、その輝度分布データＶＤ−Ｓｄ［ＡＦ］によって補正されたパネル制御データＶＤ−Ｓｐである補正パネル制御データＶＤ−Ｓｐ［ｄ］と、輝度調整データＶＤ−Ｓｄ［Ａ］との合致度合いは、高精度になる。その結果、液晶表示装置６９の表示画像の品位が向上する。
【０１６４】
つまり、連続的に駆動する液晶表示装置６９にて、一部のＬＥＤ４１が故障したとしても、輝度調整データＶＤ−Ｓｄ［Ａ］と、補正パネル制御データＶＤ−Ｓｐ［ｄ］との一致性が向上し、液晶表示装置６９の表示画像の品位が確実に向上する。
【０１６５】
なお、実施例１〜実施例８の少なくとも１つの実施例における違いと、実施例９におけるＬＥＤ４１の故障等の有無とが、組み合わさる場合も想定される。しかし、どのような組み合わせであっても、部分光ＰＬの輝度分布の違いに応じた輝度拡散フィルタＦＴが利用されれば、輝度分布データＶＤ−Ｓｄ［ＡＦ］の精度が向上する。
【０１６６】
また、上述の（２）光を遮蔽するＬＥＤ４１への付着物、または、（３）発光にともなったＬＥＤ４１の温度上昇で、そのＬＥＤ４１の固有輝度分布に変化が生じ、ひいては、正常な部分光ＰＬｎとは異なる部分光ＰＬｕが生成されたとしても、その部分光ＰＬｕは、フォトセンサ３４によって検知される。
【０１６７】
また、（３）発光にともなったＬＥＤ４１の温度上昇でそのＬＥＤ４１の固有輝度分布に変化が生じ、ひいては、正常な部分光ＰＬｎとは異なる部分光ＰＬｕが生成された場合、図１に示すサーミスタ３５によるＬＥＤ４１の温度測定でも、その部分光ＰＬｕは、フォトセンサ３４によって検知される｛要は、フォトセンサ３４ではなく、サーミスタ３５でも、部分光ＰＬｕの発生を確認でき、部分光ＰＬ（ＰＬｕ・ＰＬｎ）の輝度分布の違いに対応して、複数の輝度拡散フィルタＦＴ（ＦＴ−Ｕ・ＦＴ−Ｎ）で、輝度分布データＶＤ−Ｓｄ［ＡＦ］が生成される）。
【０１６８】
［その他の実施の形態］
なお、本発明は上記の実施の形態に限定されず、本発明の趣旨を逸脱しない範囲で、種々の変更が可能である。
【０１６９】
以上では、単体のＬＥＤ４１として、三色（赤色、緑色、青色）のＬＥＤチップを含み、赤色光、緑色光、青色光の混ざり合いで、白色光を生成する三色混合型のＬＥＤ４１ＲＧＢと、青色発光のＬＥＤチップと、そのＬＥＤチップからの光を受けて黄色光を蛍光発光する蛍光体と、を含み、青色発光のＬＥＤチップからの光と蛍光発光する黄色光とを混ぜることで、白色光を生成する蛍光発光型のＬＥＤ４１Ｅと、を例に挙げた。しかし、ＬＥＤ４１の種類は、これらに限定されるものではない。
【０１７０】
三色混合型のＬＥＤ４１ＲＧＢであっても、白色光しか出射できないタイプと、白色光だけでなく、赤色光、緑色光、青色光、または、これらの３色のうちの２色を混色させた光を出射できるタイプがある。
【０１７１】
また、蛍光発光型のＬＥＤ４１は、青色発光のＬＥＤチップと、そのＬＥＤチップからの光を受けて、緑色光および赤色光を蛍光発光する蛍光体と、を含み、ＬＥＤチップからの青色光と蛍光発光する光（緑色光・赤色光）とで白色光を生成するタイプであってもよい。
【０１７２】
また、蛍光発光型のＬＥＤ４１は、赤色発光の赤色ＬＥＤチップと、青色発光の青色ＬＥＤチップと、青色ＬＥＤチップからの光を受けて、緑色光を蛍光発光する蛍光体と、を含み、ＬＥＤチップからの赤色光・青色光と、蛍光発光する緑色光とで白色光を生成するタイプであってもよい。
【０１７３】
つまり、ＬＥＤ４１には、様々なタイプがある。そして、そのタイプ毎に、固有の輝度分布があるので、ＬＥＤ４１の光で生成される部分光ＰＬの輝度分布にも、様々な種類が発生する。しかし、上述してきた液晶表示装置６９のように、部分光ＰＬの輝度分布の違いに応じた輝度拡散フィルタＦＴが利用されれば、輝度分布データＶＤ−Ｓｄ［ＡＦ］の精度が向上する。
【０１７４】
その結果、輝度分布データＶＤ−Ｓｄ［ＡＦ］にて補正された補正パネル制御データＶＤ−Ｓｐ［ｄ］と、輝度調整データＶＤ−Ｓｄ［Ａ］との合致度合いは、高精度になり、液晶表示装置６９の表示画像の品位が向上する。
【０１７５】
なお、以上では、点状光源として、発光素子であるＬＥＤ４１を例に挙げて説明したが、これに限定されるものではない。例えば、レーザ素子のような発光素子、あるいは、有機ＥＬ（Electro-Luminescence）または無機ＥＬのような自発光材料で形成される発光素子であってもかまわない。
【符号の説明】
【０１７６】
１１        コントロールユニット（制御ユニット）
１２        画像制御部
１３        映像データ処理部
１４        タイミング制御部
１５        輝度調整データ生成部
１６        フィルタ加工部
１６Ｍ      フィルタメモリ
１７        パネル制御データ補正部
２１        ＬＣＤコントローラ
２２        ＬＥＤコントローラ
２３        ＬＥＤドライバー制御部
２４        パルス幅変調部
３１        ゲートドライバー
３２        ソースドライバー
３３        ＬＥＤドライバー
３４        フォトセンサ（輝度測定部）
３５        サーミスタ（温度測定部）
４１        ＬＥＤ（光源、発光素子、点状光源）
４２        実装基板
４９        バックライトユニット（照明装置）
ＢＬ        バックライト光（照明装置からの出射光）
ＰＬ        部分光（出射光に含まれる部分的な光）
５９        液晶表示パネル（表示パネル）
６９        液晶表示装置（表示装置）
【図１】
2011030587.tif 000003
【図２】
2011030587.tif 000004
【図３】
2011030587.tif 000005
【図４】
2011030587.tif 000006
【図５】
2011030587.tif 000007
【図６】
2011030587.tif 000008
【図７】
2011030587.tif 000009
【図８】
2011030587.tif 000010
【図９】
2011030587.tif 000011
【図１０】
2011030587.tif 000012
【図１１】
2011030587.tif 000013
【図１２】
2011030587.tif 000014
【図１３】
2011030587.tif 000015
【図１４】
2011030587.tif 000016
【図１６】
2011030587.tif 000017
【図１７】
2011030587.tif 000018
【図１８】
2011030587.tif 000019
【図１９】
2011030587.tif 000020
【図２０】
2011030587.tif 000021
【図２２】
2011030587.tif 000022
【図２３】
2011030587.tif 000023
【図２４】
2011030587.tif 000024
【図１５】
2011030587.tif 000025
【図２１】
2011030587.tif 000026
【国際調査報告】
2011030587.tif 000027
2011030587.tif 000028
2011030587.tif 000029
2011030587.tif 000030
2011030587.tif 000031